(57)【要約】【課題】避難した人々のプライバシーが守られる壁によって間仕切りされた空間が構築でき、しかも簡易に組み立てられ、また避難指令が解除された際には速やかに解体して片づけられるような組み立て式の間仕切り構造を提供すること。【解決手段】複数の方形の段ボール製の壁パネル１の縦方向の縁部を対向又は直交するように隣接配置し、ハブ位置に配置された支持脚２によって支持する。支持脚２は２枚の段ボール製の支持脚パネルを２つ折りに折り曲げて第１及び第２のケース３，４とし、それらを十次形状に組み合わせて四方に向って壁パネルの角部１を保持するためのスロット１０を形成させる。そして、適宜配置された支持脚２のスロット１０に壁パネル１を挿入し、所望のパターンで空間を間仕切りする。【選択図】  図３
0003160585.tif 000002
【実用新案登録請求の範囲】
【請求項１】
複数の方形の段ボール製の壁パネルの縦方向の縁部を対向又は直交するように隣接配置し、ハブ位置に配置された支持脚によって支持することで前記壁パネルで間仕切りされた空間を構築する組み立て式の間仕切り構造であって、
前記支持脚は、同じ大きさの２枚の段ボール製の支持脚パネルを２つ折りに折り曲げてそれぞれ均等な大きさの一対の挟持片を対向させた第１及び第２のケースから構成され、前記第１及び第２のケースはそれぞれの直線状の折り曲げ部が同一平面上に存在するように直交して組み合われており、組み合われた状態で四方に向って前記壁パネルの角部を保持するためのスロットが形成され、
複数の前記支持脚の一部は前記折り曲げ部が下側となるように配置された下部支持脚とされるとともに、前記支持脚の他の一部は前記折り曲げ部が上側となるように前記下部支持脚の上方位置に互いの前記スロットが対向するように配置された上部支持脚とされ、
前記下部支持脚の前記スロットには前記壁パネルの下部側角部を挿入させるとともに、前記上部支持脚の前記スロットには前記壁パネルの上部側角部を挿入させるようにして前記支持脚をハブとして前記壁パネルを縦横に配設し、同壁パネルによって間仕切りされた空間を構築するようにしたことを特徴とする組み立て式の間仕切り構造。
【請求項２】
前記第１のケースには前記挟持片の幅方向中央位置であって、前記挟持片の先端側に高さ方向の中央付近に延びる第１のスリットが形成されるとともに、前記第２のケースには前記挟持片の幅方向中央位置であって、前記挟持片の基端側に高さ方向の中央付近に延びる第２のスリットが形成されており、前記支持脚は前記両ケースを相互に９０度ずらして前記第１及び第２のケースの前記両スリットの開口部を対向させ、前記第１及び第２のケースを相互に相手側に進出させることで一方の前記挟持片が他方の前記スリット内に挿入されて十字形状に組み合わされていることを特徴とする請求項１に記載の組み立て式の間仕切り構造。
【考案の詳細な説明】
【技術分野】
【０００１】
本考案は災害時に災害から避難した人々が一時手的に住まいするために収容施設（例えば、学校の体育館、公民館等）内に配設して壁によって間仕切りした空間を構築するための組み立て式の間仕切り構造に関するものである。
【背景技術】
【０００２】
台風や地震等の災害時において避難指令が出た際に避難した人々は避難所として学校の体育館、公民館のような施設に一時的に収容されるのが一般的である。
【考案の開示】
【考案が解決しようとする課題】
【０００３】
しかし、収容施設内ではなかなかプライバシーが確保されない。体育館などではオープンスペースに家族毎に寄り集まって自分らの寝場所や家財を置く場所を確保するのが精一杯であって、気軽に着替えや話ができないものである。そのため、従来から避難した人々のプライバシーが守られる壁によって間仕切りされた空間が構築でき、しかも簡易に組み立てられ、また避難指令が解除された際には速やかに解体して片づけられるような組み立て式の間仕切り構造が望まれていた。
【課題を解決するための手段】
【０００４】
第１の手段では、複数の方形の段ボール製の壁パネルの縦方向の縁部を対向又は直交するように隣接配置し、ハブ位置に配置された支持脚によって支持することで前記壁パネルで間仕切りされた空間を構築する組み立て式の間仕切り構造であって、
前記支持脚は、同じ大きさの２枚の段ボール製の支持脚パネルを２つ折りに折り曲げてそれぞれ均等な大きさの一対の挟持片を対向させた第１及び第２のケースから構成され、前記第１及び第２のケースはそれぞれの直線状の折り曲げ部が同一平面上に存在するように直交して組み合われており、組み合われた状態で四方に向って前記壁パネルの角部を保持するためのスロットが形成され、複数の前記支持脚の一部は前記折り曲げ部が下側となるように配置された下部支持脚とされるとともに、前記支持脚の他の一部は前記折り曲げ部が上側となるように前記下部支持脚の上方位置に互いの前記スロットが対向するように配置された上部支持脚とされ、前記下部支持脚の前記スロットには前記壁パネルの下部側角部を挿入させるとともに、前記上部支持脚の前記スロットには前記壁パネルの上部側角部を挿入させるようにして前記支持脚をハブとして前記壁パネルを縦横に配設し、同壁パネルによって間仕切りされた空間を構築するようにしたことをその要旨とする。
第２の手段では第１の手段に加え、前記第１のケースには前記挟持片の幅方向中央位置であって、前記挟持片の先端側に高さ方向の中央付近に延びる第１のスリットが形成されるとともに、前記第２のケースには前記挟持片の幅方向中央位置であって、前記挟持片の基端側に高さ方向の中央付近に延びる第２のスリットが形成されており、前記支持脚は前記両ケースを相互に９０度ずらして前記第１及び第２のケースの前記両スリットの開口部を対向させ、前記第１及び第２のケースを相互に相手側に進出させることで一方の前記挟持片が他方の前記スリット内に挿入されて十字形状に組み合わされていることをその要旨とする。
【考案の効果】
【０００５】
上記各請求項の考案では、支持脚をハブとして段ボール製の壁パネルを取り付けることで空間を間仕切りして簡易的に多くの部屋を構築することができ、しかも壁パネルを支持脚のスリットに差し込むだけで簡単に組み立てられ、また解体することも可能であるため災害時の避難用の設備として最適である。
【図面の簡単な説明】
【０００６】
【図１】（ａ）は本考案の組み立て式の間仕切り構造において使用する第１の支持脚パネルの平面図、（ｂ）は同じく第２支持脚パネルの平面図。
【図２】本実施例の支持脚の斜視図。
【図３】本実施例の支持脚と壁パネルによって組み立て式の間仕切り構造を構築している状態の説明図。
【図４】組み立て式の間仕切り構造の一例の平面図。
【考案を実施するための最良の形態】
【０００７】
以下、本考案における組み立て式の間仕切り構造を具体化した一実施例を図面に基づいて説明する。
図１及び図２に示すよう組み立て式の間仕切り構造は複数枚の長方形の段ボール製の壁パネル１とそれら壁パネル１が支持される複数の支持脚２から構成されている。
支持脚２は第１及び第２のケース３，４から構成されている。第１及び第２のケース３，４はそれぞれ図１(ａ)及び（ｂ）に示すような第１及び第２の支持脚パネルＰ１，Ｐ２から構成されている。第１及び第２の支持脚パネルＰ１，Ｐ２は両端寄りが幅狭で中央方向にかけて徐々に幅広となる略六角形形状の段ボール製の板体とされている。第１及び第２の支持脚パネルＰ１，Ｐ２は最も幅広の中央位置において近接した２つの折り目Ｌ１，Ｌ２位置で折り曲げることで直線状の折り曲げ部６が形成され、その折り曲げ部６を基部として一対の挟持片５が対向する第１及び第２のケース３，４が形成されることとなる。
【０００８】
第１のケース３（第１の支持脚パネルＰ１）には折り曲げた状態の各挟持片５の先端（外側）左右方向の中央位置に挟持片５の長さのほぼ半分の長さの第１のスリット７が形成されている。一方、第２のケース４（第２の支持脚パネルＰ２）には各挟持片５の基部寄り左右方向の中央位置に挟持片５の長さのほぼ半分の長さの第２のスリット８が形成されている（第２の支持脚パネルＰ２の状態では第２のスリット８は１本につながっている）。各挟持片５の先端部には第１のケース３を閉じた（折り曲げた）状態から開放するための指掛け部となる半月状の切り欠き９が所定位置に形成されている。
支持脚２は第１及び第２のケース３，４を相互に９０度ずらし、かつスリット７，８の開口部側を向い合わせに配置し、第１及び第２のケース３，４を相互に相手側に進出させることで十字形状に組み合わされている。組み合わされた状態では図２に示すように第１及び第２のケース３，４の直交する折り曲げ部６は同一平面上に存在することとなる。図２及び図３に示すように支持脚２として組み立てられた状態で４方向に壁パネル１の角部が挿入されるスロット１０が形成されることとなる。
【０００９】
このような構成において、間仕切り構造を構築する工程の一例を説明する。尚、以下において床に設置する支持脚２を下部支持脚２Ａとし、下部支持脚２Ａと上下方向において対向する上部位置に配置される支持脚２を上部支持脚２Ｂとする。
支持脚２を折り曲げ部６が下側となるように床の上に設置する（下部支持脚２）。そして、この下部支持脚２Ａをハブとして１〜４枚の壁パネル１をその下部側角部をスロット１０に挿入させるようにする。これによってまず、壁パネル１を下部支持脚２に仮支持することができる。次に、上部支持脚２Ｂを仮支持されている壁パネル１の上部側角部がそのスロット１０に挿入されるように取り付けていく。上部支持脚２Ｂは折り曲げ部６が上側となり、かつ下部支持脚２Ａと互いのスロット１０が対向するように配置される。尚、上部支持脚２Ｂは第１及び第２のケース３，４を組み立てた状態で配置しても、図２に示すように第１及び第２のケース３，４を分解した状態で壁パネル１の上部側角部をスロット１０に挿入させながら組み立てていってもよい。第１及び第２のケース３，４を分解した状態の方が作業が容易であり、完成した状態で上部支持脚２Ｂを構成すれば足るからである。
このように支持脚２に最大４枚の壁パネル１を支持させることで例えば図４に示すような間仕切りパターンで空間を間仕切ることが可能となる。図４は一例であり、スペースの状況に応じて適宜パターンは変更可能である。もちろん、支持脚２に対してはすべてのスロット１０に壁パネル１を挿入させなければならないわけではない。スペースの関係で使用しないスロット１０があっても構わない。壁パネル１はその両側を支持脚２で支持されるだけでなく、片側だけで支持脚２に支持されるような接合の仕方でも構わない。
このような構成の間仕切り構造であれば空間を間仕切る壁パネル１によって簡易的に多くの部屋を構築することができ、しかも壁パネル１を支持脚２のスロット１０に差し込むだけで簡単に組み立てられ、また解体することも可能であるため災害時の避難用の設備として最適である。
【００１０】
なお、この発明は，次のように変更して具体化することも可能である。
・上記の組み立て例は一例であって、複数の支持脚２と壁パネル１の組み合わせは種々のパターンが考えられ、支持脚２と壁パネル１の組み立ての順番も種々のパターンが考えられる。また、下部支持脚２は壁パネル１を支持するために必須であるが、上部支持脚２Ｂは必ずしもすべての下部支持脚２に対応させて配置する必要はない。
・支持脚２の形状は上記に限定されるものではない。
・壁パネル１に扉となる切り欠きを形成するようにしてもよい。
・使用する壁パネル１は上記以外のサイズのものを使用することも可能である。
その他、本発明の趣旨を逸脱しない態様で実施することは自由である。
【符号の説明】
【００１１】
１…壁パネル、２…支持脚、３，４…第１及び第２のケース、５…挟持片、１０…スロット、Ｐ１，Ｐ２…支持脚パネル。
【図１】
0003160585.tif 000003
【図２】
0003160585.tif 000004
【図３】
0003160585.tif 000005
【図４】
0003160585.tif 000006
【手続補正書】
【提出日】平成22年4月19日(2010.4.19)
【手続補正１】
【補正対象書類名】実用新案登録請求の範囲
【補正対象項目名】全文
【補正方法】変更
【補正の内容】
【実用新案登録請求の範囲】
【請求項１】
複数の方形の段ボール製の壁パネルの縦方向の縁部を対向又は直交するように隣接配置し、ハブ位置に配置された支持脚によって支持することで前記壁パネルで間仕切りされた空間を構築する組み立て式の間仕切り構造であって、
前記支持脚は、同じ大きさの２枚の段ボール製の支持脚パネルを２つ折りに折り曲げてそれぞれ均等な大きさの一対の挟持片を対向させた第１及び第２のケースから構成され、前記第１及び第２のケースはそれぞれの直線状の折り曲げ部が同一平面上に存在するように直交して組み合われており、組み合われた状態で四方に向って前記壁パネルの角部を保持するためのスロットが形成され、
複数の前記支持脚の一部は前記折り曲げ部が下側となるように配置された下部支持脚とされるとともに、前記支持脚の他の一部は前記折り曲げ部が上側となるように前記下部支持脚の上方位置に互いの前記スロットが対向するように配置された上部支持脚とされ、
前記下部支持脚の前記スロットには前記壁パネルの下部側角部を挿入させるとともに、前記上部支持脚の前記スロットには前記壁パネルの上部側角部を挿入させるようにして前記支持脚をハブとして前記壁パネルを縦横に配設し、同壁パネルによって間仕切りされた空間を構築するようにしたことを特徴とする組み立て式の間仕切り構造。
【請求項２】
前記第１のケースには前記挟持片の幅方向中央位置であって、前記挟持片の先端側に高さ方向の中央付近に延びる第１のスリットが形成されるとともに、前記第２のケースには前記挟持片の幅方向中央位置であって、前記挟持片の基端側に高さ方向の中央付近に延びる第２のスリットが形成されており、前記支持脚は前記第１及び第２のケースを相互に９０度ずらして前記第１のケースの前記第１のスリットと前記第２のケースの前記第２のスリットの開口部を対向させ、前記第１及び第２のケースを相互に相手側に進出させることで一方の前記挟持片が他方の前記スリット内に挿入されて十字形状に組み合わされていることを特徴とする請求項１に記載の組み立て式の間仕切り構造。